(57)【要約】【課題】逆転防止機構の動作に影響を与えることなく、設置スペースや位置に制約が生じ難い緩衝機構を備えた魚釣用スピニングリールを提供する。【解決手段】本発明の魚釣用スピニングリールは、釣糸が巻回されるスプール３と、ハンドル５の巻き取り操作で回転し、釣糸案内部２ａを介してスプール３に釣糸を巻回案内するロータ２と、を有する。そして、スプール軸３ａに支持部材８１を装着し、スプール３と支持部材８１との間に、スプール３が釣糸繰り出し方向に回転した際の回転を緩衝させるバネ部材８５を支持する。【選択図】図１
2009171891.tif 000002
【特許請求の範囲】
【請求項１】
スプール軸に設置され、釣糸が巻回されるスプールと、ハンドルの巻き取り操作で回転し、釣糸案内部を介して前記スプールに釣糸を巻回案内するロータと、を有する魚釣用スピニングリールにおいて、
前記スプール軸に支持部材を装着し、
前記スプールと支持部材との間に、スプールが釣糸繰り出し方向に回転した際の回転を緩衝させるバネ部材を支持したことを特徴とする魚釣用スピニングリール。
【請求項２】
前記スプールの回転を規制する規制状態と、スプールの回転をフリーにするフリー状態とに切換操作可能な切換機構を有することを特徴とする請求項１に記載の魚釣用スピニングリール。
【請求項３】
前記支持部材は、前記スプールとスプール軸との間に設置され、スプールに対して摩擦制動力を付与するドラグ機構の摩擦制動体としての機能を有することを特徴とする請求項１又は２に記載の魚釣用スピニングリール。
【請求項４】
前記支持部材は、前記スプール軸に対して回り止め固定されることを特徴とする請求項１に記載の魚釣用スピニングリール。
【発明の詳細な説明】
【技術分野】
【０００１】
本発明は、ハンドルの回転で連動回転するロータの釣糸案内部を介してスプールに釣糸を巻回する魚釣用スピニングリールに関する。
【背景技術】
【０００２】
一般的に、魚釣用スピニングリールには、ハンドルの回転操作でロータを回転させてスプールに釣糸を巻回する構成上、ロータの釣糸巻き取り操作時における逆回転を防止するための逆転防止機構が設けられている。
【０００３】
実釣時の釣糸巻き取り操作時に魚が掛かった場合には、前記逆転防止機構によってロータの逆回転が阻止されていることから、釣糸に対しては急に過大な引張力が作用することとなり、これにより、釣糸が切断されたり、魚の口切れが生じる等の問題が生じる。
【０００４】
そこで、例えば、特許文献１に開示されているように、釣糸に急に過大な引張力が発生した場合に、その過負荷を緩和する緩衝機構を設置した魚釣用スピニングリールが知られている。この公知技術は、逆転防止機構で逆転阻止される阻止部材と、ロータ又はロータと共に回転する部材との間に、釣糸に過大な引張力が作用した際の衝撃を和らげるショックアブソーバとして機能するバネ部材を設けた構成となっている。
【特許文献１】特開昭６０−３０６３２号
【発明の開示】
【発明が解決しようとする課題】
【０００５】
上記した緩衝機構は、ロータの逆回転を阻止する逆転防止機構と併用された構成となっているため、回転支持部の遊度等の影響で逆転防止機能が安定しないと共に、ロータを巻き取り駆動するハンドルを逆回転したときに、ロータがバネ力に抗して所定量回転することになるため、歯切れが悪く、釣人の使用感覚としては好ましくはない。また、ロータの後部凹部内にバネ部材、及び阻止部材を装着する際のスペースが必要になるため、大型化したり、設置スペース、位置等の面で制約が生じ易い。
【０００６】
本発明は、上記した問題に基づいてなされたものであり、逆転防止機構の動作に影響を与えることなく、設置スペースや位置に制約が生じ難い緩衝機構を備えた魚釣用スピニングリールを提供することを目的とする。
【課題を解決するための手段】
【０００７】
上記した目的を達成するために、本発明に係る魚釣用スピニングリールは、スプール軸に設置され、釣糸が巻回されるスプールと、ハンドルの巻き取り操作で回転し、釣糸案内部を介して前記スプールに釣糸を巻回案内するロータと、を有する構成において、前記スプール軸に支持部材を装着し、前記スプールと支持部材との間に、スプールが釣糸繰り出し方向に回転した際の回転を緩衝させるバネ部材を設置したことを特徴とする。
【０００８】
上記した構成の魚釣用スピニングリールにおいては、スプール軸に装着される支持部材とスプールとの間に、スプールが釣糸繰り出し方向に回転した際の回転を緩衝させるバネ部材を設置しているため、実釣時に魚が掛かった場合等、釣糸に過大な引張力が作用してスプールを釣糸繰り出し方向に回転させても、前記バネ部材による緩衝作用によって、糸切れ、魚の口切れ等の発生が抑制される。また、上記した緩衝構造によれば、ロータの逆転防止機構とは関連性なく設置することができるため、リールが大型化したり、設置スペースや位置に制約を受けることはない。
【発明の効果】
【０００９】
本発明によれば、逆転防止機構の動作に影響を与えることなく、設置スペースや位置に制約が生じ難い緩衝機構を備えた魚釣用スピニングリールが得られる。
【発明を実施するための最良の形態】
【００１０】
以下、本発明に係る魚釣用スピニングリールの一実施形態について、添付図面を参照して説明する。
なお、以下に説明する実施形態では、釣糸が巻回されるスプールについて、その回転を規制する規制状態（ドラグ機構によるドラグが作用する状態）と、スプールの回転をフリーにするフリー状態とに切換操作可能な切換機構、いわゆるドラグクラッチ機構を設置したタイプの魚釣用スピニングリールについて説明する。
【００１１】
まず、図１から図７を参照して、上記したドラグクラッチ機構を設置した魚釣用スピニングリールの全体的な構成について説明する。これらの図において、図１は、魚釣用スピニングリールの内部構成を示す図（ドラグ作動状態；切換レバーＯＮ）、図２は、図１の主要部を拡大した図（ドラグ非作動状態；切換レバーＯＦＦ）、図３は、リール本体を上方から見た部分断面図、図４は、図１のＡ−Ａ線に沿った断面図、図５は、図３のＢ−Ｂ方向に沿った断面図、図６は、図３のＣ−Ｃ線に沿った断面図、そして、図７は、図１のＤ−Ｄ線に沿った断面図である。
【００１２】
魚釣用スピニングリールのリール本体１には、釣竿に装着されるリール脚１Ａが一体形成されており、その前方には、釣糸案内部（図示せず）を備え、回転可能に支持されたロータ２と、ロータ２の回転運動と同期して前後動可能に支持され、釣糸が巻回されるスプール３が配設されている。
【００１３】
リール本体１内には、一対の軸受（転がり式軸受）４Ａを介してハンドル軸（駆動軸）４が回転可能に支持されており、その突出端部には、ハンドル５が取り付けられている。また、ハンドル軸４には、巻き取り駆動機構が係合しており、この巻き取り駆動機構は、ハンドル軸４に取り付けられ、内歯（歯部７ａ）が形成されたドライブギヤ７と、このドライブギヤ７に噛合すると共にハンドル軸４と直交する方向に延出し、内部に軸方向に延出する空洞部が形成されたピニオンギヤ９とを備えている。
【００１４】
なお、本実施形態では、図４に示すように、ハンドル５は、左右両側に装着可能となっており、公知のように、その突設した外周非円形の軸５ａが、ドライブギヤ７と一体化された空洞軸に回り止め嵌入された構成となっている。ここでは、そのようなドライブギヤ７が一体化されて軸５ａと一体回転する内周非円形の空洞軸をハンドル軸（駆動軸）４と称する。
【００１５】
前記ピニオンギヤ９は、軸受９ａ，９ｂを介してリール本体内に回転可能に支持されており、前記ロータ２を一体回転するように連結されている。そして、その空洞部には、ハンドル軸４と直交する方向に延出し、先端側に前記スプール３を装着したスプール軸３ａが軸方向に移動可能に挿通されている。また、前記ピニオンギヤ９には、スプール３（スプール軸３ａ）を前後往復動させるための公知の往復動装置１０が係合している。
【００１６】
前記往復動装置１０は、リール本体内に回転可能に支持され、スプール軸３ａと平行に延出する螺軸（ウォームシャフト）１２と、前記スプール軸３ａの後部に回転可能で軸方向移動不能に係合される摺動子１３とを備えている。前記螺軸１２の端部には、前記ピニオンギヤ９と噛合する連動歯車１５が設けられており、前記ハンドル５を回転操作することで、螺軸１２は、前記ドライブギヤ７、ピニオンギヤ９及び連動歯車１５を介して回転駆動される。そして、前記螺軸１２の周面には、軸方向に沿って螺旋状のカム溝１２ａが形成されており、このカム溝１２ａに、前記摺動子１３に収容保持された係合ピン（図示せず）が係合することで、スプール軸３ａ（スプール３）は、ハンドル５の巻き取り操作により前後に往復動される。
【００１７】
上記した構成により、ハンドル５を巻き取り操作すると、ロータ２は、ドライブギヤ７及びピニオンギヤ９を介して回転駆動され、かつ、スプール３は、ドライブギヤ７、ピニオンギヤ９及び往復動装置１０を介して前後方向に往復駆動され、スプール３には、回転するロータ２の釣糸案内部２ａを介して均等に釣糸が巻回される。
【００１８】
前記スプール３とスプール軸３ａとの間には、スプール３の回転に制動力を付与する公知のドラグ機構（フロントドラグ機構）１７が設置されている。また、スプール軸３ａの後端側には、サブドラグ機構２０が設置されており、後述する切換機構３０によって、スプール３がフリー状態（スプール軸３ａがフリーに回転する状態）になったとき、回転ツマミ２１を回転操作することで補助的にスプール軸３ａに対して制動力（ドラグ力）を付与できるようになっている。
【００１９】
前記リール本体１内には、スプール３の回転を規制する規制状態とスプールフリーにするフリー状態とに切換操作可能な切換機構３０、及びスプールフリー状態にある切換機構３０をハンドル５の巻き取り操作によって規制状態に復帰させる復帰機構６０が設けられている。
【００２０】
以下、これらの機構について説明する。なお、本実施形態における「スプールの規制状態」とは、スプール軸３ａの回転が阻止されて、スプール軸３ａとドラグ機構１７との間で所望のドラグ力が作用する状態のみならず、ドラグ機構１７が設置されていない構成では、スプールのロック状態を意味し、「スプールフリー状態」とは、スプール軸３ａが自由回転状態になったことを意味する。従って、スプールフリー状態には、サブドラグ機構２０によって、スプールに対して小さな回転抵抗が加わった状態を含む。
【００２１】
前記切換機構３０は、リール本体１から外部に突出し、回動操作可能な切換レバー（操作部材）３１と、リール本体１内に配設され、切換レバー３１によって回動駆動され、以下のように、２つの部材３２Ａ，３２Ｂで構成される作動体３２と、作動体３２の一端側に係合するストッパ部材３４とを備えている。
【００２２】
前記作動体３２は、支軸となる固定ネジ３１ａを中心に揺動可能に配置される作動プレート３２Ａと、この作動プレート３２Ａと同軸上でドライブギヤ側に重なるように回動可能に設置され、後述するキック部材６１の回転軌跡内に入り込むことが可能なキック側プレート３２Ｂとを備えている。
【００２３】
両プレート３２Ａ，３２Ｂの中心支持領域には、フリクションバネ３２Ｃが巻き付くように設置されており、切換レバー３１が図１に示す位置から矢印方向に回動された際、作動プレート３２Ａの時計回り方向の回動に伴って、キック側プレート３２Ｂも一体的に時計回り方向に回動させるようになっている。すなわち、切換レバー３１を、図１に示す位置から矢印方向に回動操作することで、図２で示すように、キック側プレート３２Ｂの当接部３２ｅの側部は、作動プレート３２Ａの壁部３２Ａ´に当接されて一体的に回動され、キック側プレート３２Ｂの先端に形成された係合部３２ｄは、図２に示すように、キック部材６１のカム片６１Ａの回転軌跡内に入り込むようになっている。なお、フリクションバネ３２Ｃは、当接部３２ｅの側部が、壁部３２Ａ´に常時当接される方向に付勢している。
【００２４】
また、キック側プレート３２Ｂの固定ネジ３１ａを中心として、係合部３２ｄと反対側には、前記当接部３２ｅが形成されており、切換レバー３１が回動操作されることで、支軸３８によって回動可能に支持されたストッパ部材３４の当接部３４ａに当接するようになっている。なお、作動体３２の回動動作は、作動プレート３２Ａとリール本体１との間に設置される振り分けバネ３７によって、図１に示す切換レバーＯＮ状態と、図２に示す切換レバーＯＦＦ状態に振り分け保持される。
【００２５】
前記切換レバー３１は、図３に示すように、リール本体１の上方側を挟持するように配設され、基端部の両側から一対の固定ネジ３１ａによって回動可能に支持されている。前記一対の固定ネジ３１ａは、両サイドからリール本体内に向けて挿入されており、作動体３２に連結されている。
【００２６】
前記作動体３２のキック側プレート３２Ｂの当接部３２ｅによって回動駆動される前記ストッパ部材３４は、支軸３８を中心として回動可能に軸支されており、一端側に前記当接部３２ｅが当接する当接部３４ａが形成され、他端側に、スプール軸３ａに対して回り止め固定されたラチェット３ｂに対して係脱される係脱部３４ｂが形成されている（図１、図２、図７参照）。
【００２７】
なお、ストッパ部材３４は、支軸３８に装着されるスプリング３８ａによって、係脱部３４ｂが常時、ラチェット３ｂと係合するように付勢されており、前記切換レバー３１をＯＦＦ状態に回動することで、前記作動体３２によって、スプリング３８ａの付勢力に抗して回動され、ラチェット３ｂから離脱する（図２参照）。
【００２８】
そして、上記した切換機構３０によって、スプールフリー状態に切換えられた切換レバー３１は、復帰機構６０によって、図１に示す状態に復帰される。以下、この復帰機構６０の構成について説明する。
【００２９】
本実施形態における復帰機構６０は、前記ハンドル軸４に対してオフセットした位置に設置されたキック部材６１と、このキック部材６１が係合可能であり、上記した切換機構３０の構成部材でもある作動体３２と、前記ハンドル軸４に設けられたハンドル軸側回転部（詳細には、ギヤ７０によって構成される）と、このギヤ７０によって回転駆動されると共に、前記キック部材６１を回転可能に設けたキック部材側回転部（詳細には、ギヤ７０に噛合する連結ギヤ７２によって構成される）とを有している。この場合、前記キック部材６１は、連結ギヤ７２の中心を回転中心として所定角度回転可能に支持されており、回転方向にバネ付勢された状態となっている。
【００３０】
本実施形態における前記ギヤ７０と連結ギヤ７２の設置箇所は、キック部材６１の配置態様に影響を及ぼすことから、できるだけリール本体１が薄型でコンパクト化できるように設定される。具体的には、図３に示すように、ギヤ７０と連結ギヤ７２の噛合部の中心（噛合部の歯幅方向の中心）となる部分（ラインＸで示す線上に位置する）は、スプール軸３ａ（ピニオンギヤ９）の回転中心（ラインＸ１で示すピニオンギヤ９の軸心）に対して、ドライブギヤ７側となるように設定される。
【００３１】
前記ハンドル軸４に設けられたギヤ７０は、図３に示すように、ドライブギヤ７と一体形成されており（別体で一体化されていても良い）、ドライブギヤ７の歯部７ａに対して径方向内方に設置されている。このため、連結ギヤ７２は、ギヤ７０を有するハンドル軸４に対してオフセットしたリール脚側で噛合するようにリール本体１に回転可能に支持されている。具体的には、連結ギヤ７２は、回転中心部分にカラー７３を介在させ、そのカラー７３を貫通するように嵌入して、リール本体１のハンドル側の側板に螺入される固定ネジ７５によって回転可能に支持されている。
【００３２】
ここで、連結ギヤ７２に対する前記キック部材６１の支持態様について説明する。
【００３３】
前記連結ギヤ７２のドライブギヤと反対側の表面には、図５に示すように、略１８０°間隔で、以下の環状凹所６２Ａ内に位置する突片７３ａ，７３ｂが形成されている。一方、前記キック部材６１には、連結ギヤ７２の外周側表面に面接するように環状部６２が形成されており、前記カラー７３との間に環状凹所６２Ａを形成している。前記環状部６２の内周面には、弧状に形成された突部６２ａと、前記突片７３ａ，７３ｂ間に位置する突部６２ｂが形成されており、前記突片７３ａと突部６２ｂと間には付勢バネ７７が介在されて、キック部材６１を回転方向（図５の時計回り方向）に付勢している。これにより、キック部材６１は、連結ギヤ７２の中心部に位置するカラー７３の周りを、所定の角度で回転可能であると共に、付勢バネ７７によって回転方向に付勢された状態で支持されている。
【００３４】
また、前記キック部材６１には、図６に示すように、略１８０°間隔で一対のカム片６１Ａが形成されており、このカム片６１Ａには、前記作動体３２のキック側プレート３２Ｂに形成される係合部３２ｄが係合可能になっている。すなわち、キック側プレート３２Ｂの係合部３２ｄは、前記切換レバー３１の回転操作に伴って、カム片６１Ａの回転軌跡内に入り込み、カム片６１Ａと係合可能な状態となる。従って、キック部材６１によってキックされる係合部材（作動体３２のキック側プレート３２Ｂの係合部３２ｄ）は、カム片６１Ａが回転方向へ移動できることでデッドポイントが生じることなく、キック部材６１の回転軌跡内に入り込むことが可能となる。
【００３５】
上記したように、キック部材６１は、ハンドル５を巻き取り操作した際、ハンドル軸４に装着されたギヤ７０、及びこれに噛合する連結ギヤ７２を介して動力伝達され、最終的にキック部材６１が、作動体３２のキック側プレート３２Ｂの係合部３２ｄをキックすることで、切換レバー３１を図２に示す状態から図１に示す状態に自動復帰させる。
【００３６】
以上のように構成される切換機構３０及び復帰機構６０の作用について説明する。
【００３７】
最初、図１に示すように切換機構３０がＯＮの状態となっている。この状態では、ストッパ部材３４は、ラチェット３ｂに係合しているため、スプール軸３ａは固定状態となっており、スプール３には、フロントドラグ機構１７を介して所望のドラグ力が作用した状態となる。
【００３８】
図１に示す状態から切換レバー３１を矢印方向に回動操作すると、作動体３２を構成する作動プレート３２Ａは、固定ネジ３１ａを中心として時計回り方向に回動し、これに伴い、キック側プレート３２Ｂも時計回り方向に回動され、先端の係合部３２ｄは、図２に示すように、カム片６１Ａの回転軌跡内に入り込む。
【００３９】
このとき、前記したキック部材６１が、どの位置にあっても、係合部３２ｄは、デッドポイントを生じさせることなく、回転軌跡内に入り込むことが可能となっている。すなわち、仮に、切換レバー３１の回動操作時に、係合部３２ｄがキック部材６１（カム片６１Ａ）に干渉するような位置にあったとしても、係合部３２ｄが回動することでキック部材６１は、カラー７３の周りを、付勢バネ７７の付勢力に抗して反時計回り方向に回転させることが可能であるため、デッドポイントを生じさせることはない。
【００４０】
また、キック側プレート３２Ｂの時計回り方向への回動により、当接部３２ｅは、ストッパ部材３４の当接部３４ａに当接し、ストッパ部材３４をスプリング３８ａの付勢力に抗して反時計回り方向に回動させる。これにより、他端に形成された係脱部３４ｂは、スプール軸３ａに対して回り止め固定されたラチェット３ｂから離脱し、スプール軸３ａはフリー回転可能な状態になる。
【００４１】
この状態で、スプール３は完全なフリー状態となるため、魚が掛かった際、そのまま釣糸を引き出して行くことが可能となる。なお、この状態では、上記したサブドラグ機構２０の調節ネジ２１を回転操作することで、スプール３の回転に対して補助的にドラグ力を作用させることが可能となっている。
【００４２】
そして、図２に示す状態において、復帰機構６０を介して自動復帰させるべく、ハンドル５を巻き取り操作すると、ギヤ７０は反時計回り方向に回転し、連結ギヤ７２は、時計回り方向に回転する。これに伴い、キック部材６１のカム片６１Ａは、キック側プレート３２Ｂの係合部３２ｄに当て付き、さらに、連結ギヤ７２の時計回り方向の回転により、前記連結ギヤ７２に形成された突片７３ｂが、付勢バネ７７の付勢力に抗して図５に示す突部６２ａの壁部６２ａ´に当て付いて、キック部材６１を時計回り方向に回転させる。これにより、キック側プレート３２Ｂは、当接しているカム片６１Ａを介して反時計回り方向に回動される。
【００４３】
このキック側プレート３２Ｂの回動は、フリクションバネ３２Ｃを介して作動プレート３２Ａに伝達され、切換レバー３１を、固定ネジ３１ａを介して反時計回り方向に回動させ、図１に示す状態に自動的に復帰させる。これにより、ストッパ部材３４は、スプリング３８ａによって時計回り方向に回動され、係脱部３４ｂがラチェット３ｂと係合し、再び、スプール３の回転が規制される規制状態に切換えられる。
【００４４】
次に、上述したように構成される魚釣用スピニングリールにおいて、釣糸に対して過負荷が掛かって引張力が作用した際、その引張力を緩衝させる緩衝機構の構成について、図８から図１０を参照して説明する。なお、これらの図において、図８は、図１に示すスプール部分の内部構成を示す図、図９は、図８のＥ−Ｅ線に沿った断面図、そして、図１０は、図８のＦ−Ｆ線に沿った断面図である。
【００４５】
前記スプール３は、スプール軸３ａに対して回転可能に保持されており、スプール軸３ａとスプールとの間に設置されるフロントドラグ機構１７によって、釣糸繰り出し時に所望の制動力が付与されるよう構成されている。このフロントドラグ機構１７は、公知のように、スプール３の内部空間領域（凹部３Ａ）に設置されており、スプール前端側に回転可能に支持された制動力調整用の調整ツマミ１７ａと、この調整ツマミ１７ａとスプール３の内側前端面３ｃとの間に介在される摩擦制動体１７Ａとを備えている。そして、前記調整ツマミ１７ａを回転操作することで、軸方向に移動する押圧体１７ｂを摩擦制動体１７Ａに対して所定の押圧力で当接させ、これにより、摩擦制動体１７Ａを介してスプール軸３ａとスプール３との間に所望の制動力を作用させる。
【００４６】
前記摩擦制動体１７Ａは、前記スプール軸３ａに対して回り止め固定される複数枚（２枚）のワッシャ１７ｃと、両ワッシャ１７ｂの間、及びリール本体側のワッシャ１７ｃとスプール３の内側前端面３ｃとの間に介在されるライニング材１７ｄとを備えている。
【００４７】
そして、本実施形態における緩衝機構８０は、スプール３の凹部３Ａ内において、上記したフロントドラグ機構１７の摩擦制動体１７Ａと関連するように設置されており、摩擦制動体１７Ａとしての機能を有する支持部材８１を有している。
【００４８】
この支持部材８１は、前記両ワッシャ１７ｃの間に設置される２枚のライニング材１７ｄ間に介在されると共に、スプール軸３ａに対して回転可能に装着される略円板形状の制動連結部８２と、制動連結部８２の径方向外側において、制動連結部８２と一体化される支持部８３とを備えている。
【００４９】
前記制動連結部８２は、中央の貫通孔８２ａで前記スプール軸３ａを回転可能に挿通させており、その外周領域には、周方向に所定間隔（本実施形態では、略９０°間隔で合計４箇所）おいて、前記支持部８３と一体化されるように、軸方向に沿って屈曲された屈曲部８２ｂが形成されている。
【００５０】
前記支持部８３は、スプール３の内周面３ｄに沿うように、軸方向に所定の肉厚を具備した輪帯部８３ａを具備しており、この輪帯部８３ａの径方向内側には、前記制動連結部８２に形成された屈曲部８２ｂと対応するように、軸方向に延出する長溝８３ｂが形成されている。そして、前記各屈曲部８２ｂが、夫々の長溝８３ｂに位置することで、制動連結部８２と支持部８３は一体化されている。
【００５１】
また、前記輪帯部８３ａの外周には、スプール３の内周面３ｄとの間でＯリング（シール部材）８４が設置されており、後述する緩衝機能を果たす部分（バネ部材等）に、水や埃等の異物が浸入できないようにしている。
【００５２】
さらに、前記輪帯部８３ａには、リール本体側に向けて突出する突部８３ｃが形成されている。この突部８３ｃは、スプール３と支持部材８１とを一体回転可能に連結する機能を備えており、輪帯部８３ａからリール本体側に向けて、周方向に所定間隔（本実施形態では、略１２０°間隔で合計３箇所）おいて突出形成されている。また、これに伴い、スプール３の内周面３ｄには、前記夫々の突部８３ｃが周方向で当て付くように、径方向内側に向けて３箇所、係合突部３ｅが突出形成されている。
【００５３】
そして、前記スプール３と支持部材８１との間、詳細には、スプール３に一体形成された係合突部３ｅと、支持部材８１に一体形成された突部８３ｃとの間には、図９に示すように、スプール３が矢印で示す釣糸繰り出し方向に回転された際、その衝撃を緩衝させるバネ部材８５が支持されている。すなわち、係合突部３ｅと突部８３ｃとの間に夫々支持されるバネ部材８５は、スプール３に対して、矢印で示す回転方向に急な衝撃が加わった際、その付勢力に抗して圧縮し、その衝撃を緩和する機能を有している。
【００５４】
次に、上記したように構成される魚釣用スピニングリールの作用について説明する。
【００５５】
上記した構成の魚釣用スピニングリールでは、実釣時に上述したドラグクラッチ機構（切換機構３０）が活用される。具体的には、仕掛けを投擲した後、ドラグクラッチ機構（切換機構３０）の切換レバー３１を操作してスプール３の回転をフリー状態にする。この状態で魚がヒットすると、釣糸が繰り出されて、スプール３は高速で回転する（スプールは、図９に示す矢印方向に回転される）。そして、このとき、切換レバー３１を操作してスプール３をドラグ作動状態にすると、スプール３には、釣糸の過大な引張力によって図９の矢印方向に向けて大きな衝撃力が作用するものの、このスプール３に作用する衝撃力（釣糸に作用する大きな衝撃力）は、上記したスプール３と支持部材８１との間に設置されるバネ部材８５によって緩衝される。
【００５６】
この結果、魚がヒットして切換レバー３１を操作した際の衝撃力を充分に緩和することができ、特に、ドラグクラッチ機構を用いた魚釣用スピニングリールにおいて生じ易いとされる、糸切れや魚の口切れ等のトラブルを効果的に抑制することが可能となる。
【００５７】
また、上記した構成の緩衝機構８０は、ロータの逆転防止機構とは何等関連性なく設置することが可能なため、逆転防止機構を設置した魚釣用スピニングリールでは、逆転防止機構の動作が安定すると共に、ハンドルを逆転させた際の違和感が生じることもない。
【００５８】
また、緩衝機構８０は、スプール３の凹部３Ａ内の摩擦制動体１７Ａの部分、すなわち支持部材８１が摩擦制動体１７Ａとしての機能を備えていることから、スペースや位置の制約を受けることなく、コンパクトな構造にすることが可能となる。さらには、上記したバネ部材８５が支持される支持部材８１の支持部８３とスプール３の内周面３ｄとの間で、シール材８４を介在させて、防塵、防水対策も容易に行えるようになる。
【００５９】
以上、本発明の実施形態について説明したが、本発明は、上記した実施形態に限定されることはなく、種々変形することが可能である。
【００６０】
上記した実施形態では、ドラグクラッチ機構が組み込まれていたが、本発明は、通常の魚釣用スピニングリールに適用することが可能である。例えば、ロータを逆転可能状態にしておき、魚がヒットした際、逆転防止機構の操作レバーを操作して、ロータの逆回転を防止状態に切換えた際にも、釣糸には大きな引張力が作用するが、上記したような構成の緩衝機構を設置しておくことで、糸切れ等のトラブルを効果的に抑制することが可能となる。
【００６１】
また、上記した緩衝機構８０の支持部材８１については、ドラグ機構の摩擦制動体１７Ａとは関係なく設置される構成であっても良い。例えば、スプール３の凹部３Ａ内に、ドラグ機構を設けることなく、上記した支持部材８１をスプール軸３ａに回り止め固定することも可能である。このような構成の魚釣用スピニングリールでは、魚がヒットして釣糸に大きな引張力が作用しても、スプール３が釣糸繰り出し方向に回転して、バネ部材による緩衝作用を受けるため、糸切れや魚の口切れを抑制することが可能となる。
【００６２】
もちろん、本発明は、リヤドラグ形式のドラグ機構を採用した魚釣用スピニングリールについても適用することが可能である。
【００６３】
さらに、上記した緩衝機構８０を構成する支持部材８１の形状、支持部材８１とスプール３との間に設置されるバネ部材８５の設置個数、スプール３と支持部材８１との間におけるバネ部材８５の支持構造、及びそれに伴う支持部材８１の構成についても適宜変形することが可能である。前記支持部材８１は、スプール軸３ａに回り止め、又は回転可能に装着され、スプール３の内面との間で、スプールの釣糸繰り出し方向への衝撃が緩和できるように、スプール３との間でバネ部材が保持できるような構成であれば良く、その形状については、単体の部材で構成されていても良い。
【図面の簡単な説明】
【００６４】
【図１】本発明の一実施形態を示す図であり、魚釣用スピニングリールの内部構成を示す図（ドラグ作動状態；切換レバーＯＮ）。
【図２】図１の主要部を拡大した図（ドラグ非作動状態；切換レバーＯＦＦ）。
【図３】リール本体を上方から見た部分断面図。
【図４】図１のＡ−Ａ線に沿った断面図。
【図５】図３のＢ−Ｂ方向に沿った断面図。
【図６】図３のＣ−Ｃ線に沿った断面図。
【図７】図１のＤ−Ｄ方向に沿った部分断面図。
【図８】図１に示すスプール部分の内部構成を示す図。
【図９】図８のＥ−Ｅ線に沿った断面図。
【図１０】図８のＦ−Ｆ線に沿った断面図。
【符号の説明】
【００６５】
１  リール本体
２  ロータ
３  スプール
３ａ  スプール軸
４  ハンドル軸（駆動軸）
５  ハンドル
９  ピニオンギヤ
１７  ドラグ機構
３０  切換機構（ドラグクラッチ機構）
８０  緩衝機構
８１  支持部材
８５  バネ部材
【図１】
2009171891.tif 000003
【図２】
2009171891.tif 000004
【図３】
2009171891.tif 000005
【図４】
2009171891.tif 000006
【図５】
2009171891.tif 000007
【図６】
2009171891.tif 000008
【図７】
2009171891.tif 000009
【図８】
2009171891.tif 000010
【図９】
2009171891.tif 000011
【図１０】
2009171891.tif 000012